(57)【特許請求の範囲】
【請求項１】
回転支軸を一体に垂下したコマ本体に電源と振動モータとを内蔵し、スイッチ機構を介して電源により振動モータを駆動して成り、該振動モータによる周期的偏り振動と、該振動に伴う回転支軸の載置面での周回方向への移動摩擦抵抗の介在とによって、該振動を回転力に変換できることを特徴とする回転体。
【請求項２】
回転支軸がコマ本体の下面の所要回転半径の円周上の均等分割点で一体に垂下される複数軸から成る請求項１記載の回転体。
【発明の詳細な説明】
【技術分野】
【０００１】  本発明は、一軸での回転は勿論のこと、複数軸でも回転のできる回転体に関する。
【背景技術】
【０００２】  従来から提供されている子供の遊戯用のコマは、回し紐か手の指の回転力によって回転させて遊ぶものであって、コマ本体にモータを内蔵させ、電源（電池）によってコマ本体を回転させる技術はなく、ただ、発光手段を内蔵した技術としては、特開２００３−２１０８５４号公報（特許文献１）で、遊戯中のベーゴマ相互の衝撃を感知してＬＥＤを発光させる事項が開示されている。
【特許文献１】特開２００３−２１０８５４号公報
【発明の開示】
【発明が解決しようとする課題】
【０００３】  本発明は、振動モータによる周期的偏り振動を載置面との摩擦抵抗を介して回転力に変換できる回転体の提供をその目的とするものである。
【課題を解決するための手段】
【０００４】  本発明の請求項１に記載した回転体は、回転支軸を一体に垂下したコマ本体に電源と振動モータとを内蔵し、スイッチ機構を介して電源により振動モータを駆動し、該振動モータによる周期的偏り振動と、該振動に伴う回転支軸の載置面での周回方向への移動摩擦抵抗の介在とによって、該振動を回転力に変換して成る。
また、請求項２に記載した回転体は、請求項１に記載した回転体において、回転支軸がコマ本体の下面の所要回転半径の円周上の均等分割点で一体に垂下される複数軸から成る。
【発明の効果】
【０００５】  本発明によれば、回転支軸にはコマ本体に内蔵される振動モータの振動が伝達され、該振動の周期的偏りによって該回転支軸の摩擦抵抗が順次に周回方向に移動して回転体が自転するものであり、回転し続ける遊戯コマとして、また、摩擦抵抗の状態によっては不規則な自転や動きが誘発されることから、ドッグレースや各種のキャラクターによるレースなどの遊具にも応用できるほか、発光制御の点灯パターンと自転の組み合わせによるクリスマスツリーの電飾や各種の電飾としても有用である。
【発明を実施するための最良の形態】
【０００６】  回転支軸を一軸とする場合は、コマ本体の下方にのみ一体に垂下するものから、コマ本体を横向きにして左右に軸心を一致させて両側に回転支軸を一体に設けるなどであり、また、コマ本体に一体に垂下される回転支軸が複数軸の場合は、該軸はコマ本体が転倒しないように、最小３軸を下限として均等に配設されるものである。このほか、発光制御の点灯パターンは、コマ本体の半径方向で表現されるものから、軸心方向で表現されるものなどである。
【実施例】
【０００７】  本発明を第１実施例により説明すると、図１（ａ）、（ｂ）、（ｃ）に示すように、中心部に一本の回転支軸１を一体に垂下したコマ本体２の内部には最下部にコイン型の振動モータ３が設けられ、その振動モータ３の一側上面にリチウム電池（３Ｖ）４の一側を接続して重ね上げして成り、そのスイッチ機構５は、分図（ｃ）に示すように、振動モータ３の＋側端子に＋接点６を立ち上げ、一方リチウム電池４の＋側に接続した電導性のリード線に相当するバネ板７の突端に設けられ、遠心力で外方に振り出される重りからなる＋接点８が前記＋接点６に対して僅かの間隙で対向配設されて成る。そして、コマ本体２の上部の開口部９には中心に回し軸１０を一体に立設したキャップ１１が締まり嵌めで接合されるものである。【０００８】  このようにして成る回転体Ａは、子供を対象としたコマとして提供され、回し軸１０をつまんで回すことにより、遠心力で＋接点６、８が閉じて振動モータ３が駆動され、その挿通して支持台１２に回転体Ａを着座させたときは、振動モータ３による回転振動の偏りで回転体Ａは支持台１２の上で回り続けるものである。【０００９】  次に、第２実施例について説明すると、図３（ａ）、（ｂ）、（ｃ）に示すように、中心部に一本の回転支軸１を一体に垂下したコマ本体２の内部には、基盤１４の上面に電源としてのボタン電池（１、５Ｖ）１５が２個配設され、下面にコイン型の振動モータ３が設けられ、さらに分図（ｃ）に示すように、両ボタン電池１５の間には各色に発光するＬＥＤ１６が半径方向に５個立設される。また、ボタン電池１５の電源は振動モータ３に電気的に接続されるが、その振動モータ３を電源に接続するスイッチ機構５は、振動モータ３の＋側端子が絶縁材の基盤１４を貫通して外周端側に＋接点６として突出され、振動モータ３の−側端子がボタン電池１５の−側に接続され、該ボタン電池１５の＋側端子にリード線に相当するコイルバネ１７の一端が接続されるとともに、該コイルバネ１７の他端に設けられ、遠心力で外方に振り出される重りからなる＋接点８が前記＋接点６に対して僅かの間隙で対向配設されて成る。さらに、上記スイッチ機構５の電気回路中には振動モータ３への通電と同時に各色のＬＥＤ１６を各様の点灯パターンで制御するＩＣチップを伴った発光制御部１８が配設されるものである。
そして、コマ本体２の上部の開口部９には中心に回し軸１０を一体に立設したキャップ１１が締まり嵌めで接合されるものである。【００１０】  このようにして成る回転体Ｂは、子供を対象としたコマとして提供され、回し軸１０をつまんで回すことにより、遠心力で＋接点６、８が閉じて振動モータ３が駆動されるとともに、発光制御部１８で各様の点灯パターンに制御された各色のＬＥＤ１６は発光し、きれいな発光色でコマ遊びを一層楽しいものとするのである。
なお、この回転体Ｂにおいても、前記したように、図２に示した支持台１２の貫通孔１３に回転支軸１を挿通し、該支持台１２に回転体Ｂを着座させたときは、振動モータ３による回転振動の偏りで回転体Ｂは支持台１２の上で回り続けるものである。さらに、図６に示すように、回転体Ｂを上面に吊下部１９を立設した透明なケース２０に収納するとともに、両側面に開口した支持孔２１に、それぞれ同一軸心とした回転支軸１と回し軸１０を係合し、遠心力でスイッチ機構５の接点を閉じれば、回転体Ｂは振動モータ３の振動エネルギーで両回転支軸１と回し軸１０がそれぞれ支持孔２１より摩擦抵抗を受けて回転し続けることとなる。したがって、吊下部１９に紐を通してケース２０を吊下すればクリスマスツリーなどの電飾としても利用できるのである。【００１１】  さらに、第３実施例としての回転体Ｃについて説明すると、このものは図４に示すように、回転体Ｂにおいて、コマ本体２の下面の円周方向に均等な３個所の分割点でそれぞれ回転支軸１を一体に垂下し、キャップ１１の回し軸１０に相当する部所には、図５（ａ）に示すように、スイッチ操作部２２が設けられ、キャップ１１の中心に操作軸２３を貫通螺合し、操作軸２３の下端には絶縁状のバネ板２４の上端を当接するとともに、重りからなる＋接点８を出し入れ自在に押圧して成る。
したがって、操作軸２３をねじ込んでスイッチ機構５の接点を閉じて振動モータ３を駆動すると、３本の回転支軸１はそれぞれ振動モータ３の回転振動の偏りで載置面との接触摩擦抵抗を受け、その反力で回転体Ｃは回転し続けるとともに、摩擦抵抗の不均一な場合には、不規則な回転や動作が誘発されておもしろい動きを見せるものである。そこで、左右に衝立を設けたコースを設け、このコースで回転させたときは、回転しながらの前進や後進、或は回転のない前後進など様々な動作が誘発されるのでドッグレースなどの遊具に応用できるものである。
なお、図５（ｂ）に示したスイッチ操作部２２は、操作軸２３の下端にマグネット２５が接合され、キャップ１１の隔壁２６を介してコマ本体２の内部で上下に屈伸自在に案内されるバネ板２４の上端には、前記マグネット２５の極性と同極性で対向したマグネット２７を接合し、該バネ板２４の高さ方向中間の湾曲部でスイッチ機構５の重りからなる＋接点８を出し入れ自在に押圧して成るもので、水中などで使用する場合にはスイッチ操作部２２の水密性が保持される。
【産業上の利用可能性】
【００１２】  本発明は、遊具業界を活性化することは勿論のこと、電飾業界においても動的な電飾を実現できることで、その活性化にも資するものであり、これに伴って、振動モータ及びＬＥＤ製造業界にその需要拡大をもたらす。
【図面の簡単な説明】
【００１３】
【図１】本発明に係わる回転体Ａの説明図で、（ａ）はその正面図、（ｂ）はその縦断面図、（ｃ）は（ａ）のキャップ１１とリチウム電池４を除いた平面図である。
【図２】回転体Ａの一使用例を示す説明図である。
【図３】本発明に係わる回転体Ｂの説明図で、（ａ）はその正面図、（ｂ）はその縦断面図、（ｃ）は（ａ）のキャップ１１を除いた平面図である。
【図４】本発明に係わる回転体Ｃの説明図で、（ａ）はその正面図、（ｂ）は（ａ）の底面図である。
【図５】回転体Ｃにおけるスイッチ操作部２２の説明図で、（ａ）は操作軸２３が直接バネ板２４を操作する状態を示す部分縦断面図であり、（ｂ）は操作軸２３が間接的にバネ板２４を操作する状態を示す部分縦断面図である。
【図６】回転体Ｂを電飾に使用した場合の説明図である。
【符号の説明】
【００１４】１  回転支軸
２  コマ本体
３  振動モータ
４  リチウム電池
５  スイッチ機構
６  ＋接点
７  バネ板
８  ＋接点
９  開口部
１０  回し軸
１１  キャップ
１２  支持台
１３  貫通孔
１４  基盤
１５  ボタン電池
１６  ＬＥＤ
１７  コイルバネ
１８  発光制御部
１９  吊下部
２０  ケース
２１  支持孔
２２  スイッチ操作部
２３  操作軸
２４  バネ板
２５  マグネット
２６  隔壁
２７  マグネット
Ａ乃至Ｃ  回転体
【図１】
0004437279.tif 000002
【図２】
0004437279.tif 000003
【図３】
0004437279.tif 000004
【図４】
0004437279.tif 000005
【図５】
0004437279.tif 000006
【図６】
0004437279.tif 000007